(57)【特許請求の範囲】
【請求項１】
複数の階層のデータ群からなる地名データベースの一部を切り出すための情報編集装置であって、
切り出し範囲の上位階層および前記上位階層における地名を設定する上位階層設定手段と、
前記上位階層設定手段にて設定された前記地名の下位階層のうち切り出し可能な下位階層の範囲とそのデータ量を表示する表示手段と、
前記表示手段にて表示される前記下位階層を前記切り出し範囲から削除するかどうかを設定する下位階層設定手段と、
前記上位階層設定手段および前記下位階層設定手段にて設定された前記切り出し範囲を切り出す切り出し制御手段とを有することを特徴とする情報編集装置。
【請求項２】
複数の階層のデータ群からなる地名データベースの一部を切り出すための情報編集装置であって、
切り出し範囲の階層および前記階層における地名を設定する第１の設定手段と、
前記第１の設定手段にて設定された前記階層および前記地名の範囲におけるデータ量または地名数を表示する表示手段と、
前記表示手段にて表示される前記データ量または前記地名数によって前記切り出し範囲を設定する第２の設定手段と、
前記第２の設定手段にて設定された前記切り出し範囲を切り出す切り出し制御手段とを有することを特徴とする情報編集装置。
【請求項３】
複数の階層のデータ群からなる地図データベースの一部を切り出すための情報編集装置であって、
前記地図データベースの縮尺レベルと前記縮尺レベルにおける切り出し範囲の中心地点を設定する上位階層設定手段と、
前記上位階層設定手段にて設定された前記縮尺レベルの下位階層のうち切り出し可能な下位階層の範囲とそのデータ量を表示する表示手段と、
前記表示手段にて表示される前記下位階層を前記切り出し範囲から削除するかどうかを設定する下位階層設定手段と、
前記上位階層設定手段および前記下位階層設定手段にて設定された前記切り出し範囲を切り出す切り出し制御手段とを有することを特徴とする情報編集装置。
【発明の詳細な説明】
【０００１】
【発明の属する技術分野】
本発明は、カメラ等の携帯機器に、地名等の情報を記憶させるための情報編集装置に関するものである。
【０００２】
【従来の技術】
従来より、カメラに地名あるいは地図等の情報を記憶させ、撮影画像に地名情報を記録して、プリント画像の整理の簡便性や、電子化された画像の検索性を向上させる提案が為されている。この場合、地名あるいは地図等の情報は階層構造を成すと共に、全世界あるいは特定の国全体の地名情報は膨大な情報量になるため、地名情報の一部の階層のみをカメラに記憶させ、カメラに搭載する情報量の負荷を低減する提案も為されている。
【０００３】
例えば、特開平８−３１３９８８号においては、カメラはＧＰＳ（Global Positioning System ）受信装置を有すると共に、地域毎の電子地図、すなわち上位の階層で区分けされた電子地図を収めたＣＤ−ＲＯＭ等の外部記憶媒体が着脱自在に装着され、撮影時にＧＰＳ受信装置で検出した撮影場所の経緯度情報から電子地図より撮影場所の地名を抽出し、該地名を画像と共にフィルムに記録する技術が開示されている。
【０００４】
また、特開平７−８３６３４号においては、ＣＤ−ＲＯＭに記録された電子地図の所定の領域を所定の縮尺すなわち所定の階層で切り出し、ナビゲーション装置にセットされたＩＣカードに転送保存する技術が開示されている。
【０００５】
更に、特開平９−６１９２４号においては、地名情報を有するＩＣカードをカメラに装着し、該地名情報をカメラ内のフラッシュＲＯＭに記憶し、撮影時にＧＳＰ受信機で測位した結果から地名情報を読み出し、測位結果あるいは地名認識結果をフィルムに写し込む技術が開示されている。
【０００６】
【発明が解決しようとする課題】
しかしながら、上記公知技術を用いて提供されたカメラは必ずしも使い易いものとは言えない。例えば、撮影者が１週間の旅行に出かける事を想定する。まず、撮影者が１箇所に長期滞在してほぼ同一の場所で撮影を行う場合には、特定の狭い範囲の詳細地名情報が必要であり、該特定地域以外の地名情報は全く不要である。他方、撮影者がある拠点を中心に広い範囲を移動しながら撮影を行う場合には、前記拠点近傍での撮影密度が高く、拠点から離れるにしたがって撮影密度が減少する。従ってこの場合は前記拠点近傍の詳細地名情報が必要であり、好ましくは更に、前記拠点を中心とした広い範囲の概略地名情報があればなお良い。
【０００７】
以上の様に撮影者の撮影目的により、必要とされる地名情報の階層構造は異なる。したがって、地名情報の一部をカメラに搭載させる場合には、地名情報切り出しの自由度と簡便性の両立が必要となる。
【０００８】
上記の点を鑑みると、特開平８−３１３９８８号では、地図情報は地域毎に分割されて複数のＣＤ−ＲＯＭに記録されてはいるが、ＣＤ−ＲＯＭ内の情報を選択的に切り出す技術は開示されていない。従って、カメラが多くの不要情報を搭載する事になり、カメラが大きく、かつ高価になる。
【０００９】
また、特開平７−８３６８４号では、地図情報の任意の領域を任意の階層で切り出す事が可能であるが、１回の操作で切り出されるのは１地域の特定の１階層の情報のみであり、異なる階層の複数情報を切り出す場合には階層毎に切り出し操作を行わねばならず、操作が煩雑になるといった欠点があった。
【００１０】
更に、特開平９−６１９２４号では、ＩＣカードの全内容をフラッシュＲＯＭへ転送記憶させるため、不要な情報もカメラに記憶してしまい、カメラに搭載するフラッシュＲＯＭを大容量のものにしなければならないといった欠点があった。
【００１１】
（発明の目的）
本発明の目的は、階層構造を有するデータベースに対して、簡単な操作で効率的なデータ切り出しを行うことのできる情報編集装置を提供しようとするものである。
【００３０】
【課題を解決するための手段】
上記目的を達成するために、本発明は、複数の階層のデータ群からなる地名データベースの一部を切り出すための情報編集装置であって、切り出し範囲の上位階層および前記上位階層における地名を設定する上位階層設定手段と、前記上位階層設定手段にて設定された前記地名の下位階層のうち切り出し可能な下位階層の範囲とそのデータ量を表示する表示手段と、前記表示手段にて表示される前記下位階層を前記切り出し範囲から削除するかどうかを設定する下位階層設定手段と、前記上位階層設定手段および前記下位階層設定手段にて設定された前記切り出し範囲を切り出す切り出し制御手段とを有することを特徴とする。
【００３１】
また、上記目的を達成するために、本発明は、複数の階層のデータ群からなる地名データベースの一部を切り出すための情報編集装置であって、切り出し範囲の階層および前記階層における地名を設定する第１の設定手段と、前記第１の設定手段にて設定された前記階層および前記地名の範囲におけるデータ量または地名数を表示する表示手段と、前記表示手段にて表示される前記データ量または前記地名数によって前記切り出し範囲を設定する第２の設定手段と、前記第２の設定手段にて設定された前記切り出し範囲を切り出す切り出し制御手段とを有することを特徴とする。
【００３２】
また、上記目的を達成するために、本発明は、複数の階層のデータ群からなる地図データベースの一部を切り出すための情報編集装置であって、前記地図データベースの縮尺レベルと前記縮尺レベルにおける切り出し範囲の中心地点を設定する上位階層設定手段と、前記上位階層設定手段にて設定された前記縮尺レベルの下位階層のうち切り出し可能な下位階層の範囲とそのデータ量を表示する表示手段と、前記表示手段にて表示される前記下位階層を前記切り出し範囲から削除するかどうかを設定する下位階層設定手段と、前記上位階層設定手段および前記下位階層設定手段にて設定された前記切り出し範囲を切り出す切り出し制御手段とを有することを特徴とする。
【００６８】
【発明の実施の形態】
以下、本発明を図示の実施の形態に基づいて詳細に説明する。
【００６９】
図１〜図１１は本発明の実施の第１の形態に係る図であり、図１は本発明の実施の第１の形態に用いられる地名データベースの階層構造、及び該階層構造から一部を切り出す時の切り出し範囲（領域）を示す図である。
【００７０】
図１において、日本全国の地名は、地方名の階層１、都道府県名の階層２、市町村区名の階層３、町名の階層４、丁目・字名の階層５、施設・建物・道路等の固有名の階層６から成る。そして、該地名データベースは１枚のＣＤ−ＲＯＭに収納されている。
【００７１】
領域Ａは、最上位の階層である階層１の地方名の中から、関東を選択した場合に切り出しされる地名情報の範囲を示している。又領域Ｂは、階層１の関東、階層２の東京都を経由し、階層３の中央区を選択した場合に切り出しされる地名情報の範囲を示している。
【００７２】
これらの地名情報の選択方法を、図２以降を用いて詳しく説明する。
【００７３】
図２は、本発明の実施の第１の形態に係るカメラ及び情報編集装置の概略構成を示す斜視図である。
【００７４】
図２において、１０１は内蔵されたフィルムに被写体像と地名情報を記録する機能を有したカメラであり、撮影レンズ１０２，ファインダ接眼部１０３，電源スイッチに相当するメインスイッチ１０４，レリーズボタン１０５，通信コネクタ１０６を有する。また、カメラ１０１の背面には、液晶パネル等の表示器１１１，スクロールボタン１１２，モード選択ボタン１１３，選択確定ボタン１１４，音声入力用マイクロホン１１５、及び、音声入力スイッチ１１６が設置される。
【００７５】
１５１は地名情報を編集するための情報編集装置であり、ＣＲＴ等の表示部１５２，ＣＤ−ＲＯＭドライブ１５３，ＰＣカードドライブ１５４を内蔵している。１５５は電源スイッチである。また、該情報編集装置１５１には、キーボード１６１，マウス１６２，通信コネクタ１６３等の入出力用部材が接続される。
【００７６】
１６５は、図１に示した地名データベースと、該地名データベースの情報管理プログラムからなる地名辞書が記録されたＣＤ−ＲＯＭであり、該ＣＤ−ＲＯＭ１６５はＣＤ−ＲＯＭドライブ１５３に挿入されて地名データベースが読み込まれる。そして、編集された地名情報がコネクタ１６３及びコネクタ１０６を介してカメラ１０１に転送される。
【００７７】
図３は、図２のカメラ１０１及び情報編集装置１５１の主要部分の電気的構成を示すブロック図である。
【００７８】
まず、カメラ１０１側の電気的構成について説明する。なお、図２と同じ部分は同一符号を付してある。
【００７９】
１２１はカメラ全体の動作を制御するＣＰＵであり、ＲＯＭ，ＲＡＭ，ＥＥＰＲＯＭ，Ａ／ＤやＤ／Ａ変換機能を有する１チップマイコンである。１２２はＣＰＵ１２１やカメラ１０１内の各種回路、アクチュエータに給電する電源である。
【００８０】
被写体からの光束は、撮影レンズ１０２，クイックリターンミラー１２３，ペンタダハプリズム１２４及び接眼レンズ１０３を介して、撮影者によりファインダ像として観察される。また、撮影時にはクイックリターンミラー１２３が上方に退避し、フォーカルプレンシャッタ１２５で露光時間調節された被写体像としてフィルム１２６に記録される。
【００８１】
１２７は撮影レンズ１０２のフォーカシング駆動や不図示の絞りを駆動するためのレンズ駆動装置、１２８は、前述のクイックリターンミラー１２３及びフォーカルプレンシャッタ１２５のメカニカルチャージや、フィルム１２６の巻き上げ巻戻しを行う巻き上げ装置である。１０４はメインスイッチであり、該スイッチ１０４が撮影者によってオンされると、ＣＰＵ１０４はスリープ状態から脱し、撮影に関する所定のプログラムの実行を許可する。１３１は測光，焦点調節等の撮影準備動作の実行を開始させる撮影準備スイッチ（ＳＷ１）、１３２はフィルム１２６への露光動作を開始させる撮影スイッチ（ＳＷ２）であり、これらスイッチは前述のレリーズボタン１０５とメカニカルに連動しており、該ボタン１０５の半押し操作でスイッチＳＷ１がオンされ、該ボタン１０５の全押し操作でスイッチＳＷ２がオンされ、前述した撮影準備や撮影動作が実行される。
【００８２】
１３３は後述する地名情報を記憶するためのメモリであり、ＥＥＰＲＯＭ，フラッシュメモリ，磁気ディスク，光ディスク等が用いられる。１３４はデータ写し込み装置であり、複数ドットのＬＥＤ（Light Emitting Diode）が上下方向に密に配置されたユニットとして構成され、フィルム１２６の巻き上げ中に各ドットを点滅制御し、フィルム上に文字データを光学的に記録する。１０６は外部装置とデータ授受を行うためのコネクタであり、地名情報等を外部に対して入出力する。１１１は液晶パネル等で構成される表示器であり、カメラに設定された撮影条件や、画像に記録される地名等を表示する。
【００８３】
１１２は図２にも示したスクロールボタン（詳しくは、該スクロールボタン１１２に連動した４個より成るスクロールスイッチ群）であり、後述する方法で地名階層や地名の選択、変更を行う際に用いられる。１１３はカメラの種々の動作モードを選択する図２にも示したモード選択ボタンであり、後述する地名選択モード，日時設定モード，撮影条件設定モード等を選択可能とし、選択したモードに対応する情報が前記表示器１１１に表示される。１１４は図１にも示した選択確定ボタンであり、地名等の選択された情報を確定する時に用いる操作部材である。
【００８４】
１１５は図２にも示したマイクロホンであり、カメラの撮影条件の設定や、メモリ１３３に記憶された地名情報の中から所望の地名を選択するために用いられる。また必要に応じて、撮影時に被写体周辺の音を録音したり、撮影者の音声をメモとして録音するためにも用いられる。１１６は図２にも示した音声入力ボタンであり、該ボタン１１６の押圧操作により前記マイクロホン１１５からの音声入力が可能となる。
【００８５】
次に、情報編集装置１５１側の電気的構成について説明する。
【００８６】
１７１は情報編集装置１５１の全体を制御するＣＰＵであり、ＲＯＭ，ＲＡＭ，ＥＥＰＲＯＭ，Ａ／ＤやＤ／Ａ変換機能を有する制御回路である。１５２はＣＲＴ，液晶モニタ，プラズマディスプレイ等で構成された表示部であり、該情報編集装置１５１やこれに接続される周辺機器の状態、及び、各種制御プログラムの実行画面やデータを表示する。１５３はＣＤ−ＲＯＭからデータを読み出すためのＣＤ−ＲＯＭドライブ、１５４は不図示のＰＣカードとデータの授受を行うためのカードドライブ、１５６はデータを保存するハードディスクである。１５５は電源スイッチであり、該スイッチ１５５のオン操作で各種制御プログラムの実行が開始される。
【００８７】
１６１はデータ入力用キーボード、１６２はマウスである。１６３は外部機器とのデータ授受用コネクタであり、前記カメラ１０１のコネクタ１０６と接続されて、カメラ１０１のＣＰＵ１２１とデータ授受を行う。そして、これら１５２ないし１６３の各種機器はＣＰＵ１７１により制御される。１６５は地名辞書を有したＣＤ−ＲＯＭであり、前記ＣＰＵ１７１は該地名辞書を参照しながら地名情報編集プログラムを実行し、後述する地名情報の切り出しやカメラへの情報転送を行う。
【００８８】
図４は、情報編集装置１５１において、地名情報を切り出しするプログラムの実行画面について説明する為の図である。
【００８９】
地名辞書を有したＣＤ−ＲＯＭ１６５を情報編集装置１５１のＣＤ−ＲＯＭドライブ１５３に装着し、地名切り出しプログラムを実行すると、図４の画面が表示部１５２に表示される。
【００９０】
１８１は階層入力部であり、キーボード１６１で階層番号を入力するか、マウス１６２で隣のプルダウン指標１８２を選択して不図示のプルダウンメニューを表示させ、その中から所望の階層番号をクリックし、選択する。この図では階層「１」が入力された事を示す。
【００９１】
１８３は地名入力部であり、前記階層入力部１８１へ入力された階層内の先頭地名が該地名入力部１８３に表示される。この地名データベースは図１の構造になっているので、選択された階層「１」の先頭地名は「北海道」である。よって、地名入力部１８３には、まず「北海道」が表示される。そこで撮影者はキーボード１６１で所望の地方名を入力するか、マウス１６２で隣のプルダウン指標１８４を選択し、不図示のプルダウンメニューを表示させ、その中から所望の地方名をクリックし、選択する。この図では地方名「関東」が入力された事を示す。
【００９２】
以上の入力作業が完了すると、１８５ないし１９３（１８７は無し）で示した切り出し範囲表示部に、切り出される地名範囲が表示される。１８５には前記階層入力部１８１で入力された先頭階層番号が表示され、１８６には前記地名入力部１８３で入力された先頭地名が表示される。１８８，１９１は上記入力作業の結果、自動的に切り出される下位の階層範囲表示部、１８９，１９２は自動切り出しされる下位階層の内容表示部、１９０，１９３は切り出された該当階層の地名情報のデータ量表示部である。そして、上記切り出された地名情報の総データ量が表示部１９４に表示される。この図においては、階層「１」の「関東」を先頭として、「関東」に含まれる階層２の全都道府県名（１ＫＢ（Byte））と、全都道府県名に含まれる全市町村区名（１ＭＢ）が切り出され、総データ量が約１ＭＢである事を示している。この操作により切り出しされた領域は、図１の領域Ａに相当する。
【００９３】
以上の操作で切り出し条件の入力が完了したので、確定ボタン１９５をマウス１６２でクリックすると、図１の領域Ａに相当する地名データがＣＤ−ＲＯＭ１６５から切り出され、コネクタ１６３及び１０６を介してカメラ１０１のＣＰＵ１２１に転送され、メモリ１３３に記憶される。
【００９４】
一方、切り出しされる地名情報範囲が適当でない場合は、削除したい階層表示部１８８あるいは１９１を選択し、削除ボタン１９６をクリックする事で選択された階層が削除される。その後、確定ボタン１９５をクリックすれば、修正された切り出し領域が確定され、地名データがカメラに転送される。
【００９５】
図５は、地名切り出しプログラムにおいて、切り出し先頭地名を階層「３」の「中央区」と入力した場合を示す画面である。
【００９６】
図４で説明した入力方法に基づき、入力部１８１ないし１８４において、階層「１」の地名「関東」、階層「２」の地名「東京都」、階層「３」の地名「中央区」の順に上位階層から下位階層に地名を絞りながら入力する。すると切り出しされる地名範囲及びデータ量が１８５ないし１９４に表示される。この操作により切り出しされた領域は、図１の領域Ｂに相当する。
【００９７】
すなわち、この実施の第１の形態では、切り出しする先頭階層と先頭地名を指定すると、それより下位の階層における地名範囲が自動的に決定され、かつ操作者により切り出し範囲が修正可能に構成されている。
【００９８】
図６は、上記の図４あるいは図５に示した方法で切り出され、カメラ１０１に転送記憶された地名情報を、カメラ１０１側で選択する際の実行画面について説明する為の図である。この図では、図５で切り出された「中央区」以下の地名情報、すなわち図１の領域Ｂの地名情報がカメラ１０１に記憶されている場合について説明する。
【００９９】
撮影者が撮影に先立って、モード選択ボタン１１３を押圧操作し、地名選択プログラムを実行すると、カメラ１０１の表示器１１１には図６に示す画面が表示される。
【０１００】
１４１は階層表示部であり、カメラ１０１に記憶された地名情報のうちの最上位の階層、すなわち階層「３」が表示される。１４２は地名表示部であり、前記階層表示部１４１で表示された階層内の地名が先頭から順に表示される。しかし階層「３」の地名情報は「中央区」しか切り出し記憶されていないため、初期画面では地名表示部１４２には「中央区」のみが表示される。なお、黒字に白抜きの文字は、該地名が選択状態にある事を示す。そして選択状態にある地名を画像に記録したい場合には、選択確定ボタン１１４を押す事により、該地名を画像に記録する事が確定する。
【０１０１】
続いて下位の階層の地名を選択するため、スクロールボタン１１２の右側ボタンを押すと、現在表示中の階層「３」よりも下位の階層「４」と、該階層「４」内に含まれる地名情報が地名表示部１４２に表示される。その様子を図７に示す。
【０１０２】
図７は上述の操作で下位の階層「４」を選択し、該階層「４」内に含まれる地名情報が表示された状態を示している。そして、初期画面では先頭の「明石町」が選択状態になっている。ここで撮影者はスクロールボタン１１２の上側あるいは下側のボタンを押して、所望の地名を選択する。ここでは下側のボタンを何回か押して「銀座」を選択する。そして選択状態にある地名を画像に記録したい場合には、選択ボタン１１４を押す事により、該地名が画像に記録する事が確定される。
【０１０３】
以上の様に、カメラ１０１に記憶された地名情報の各階層に含まれる地名に対し、順次選択及び確定操作を繰り返す事により、所望の地名を選択して撮影画像に記録できる。
【０１０４】
図８は、以上の操作で選択された地名がフィルムに写し込まれた結果を示す図である。
【０１０５】
上記図６及び図７で説明した操作で地名を選択して撮影を行うと、図３において巻き上げ装置１２８はフィルム１２６を１駒分巻き上げる。この際、データ写し込み装置１３４はフィルム給送に同期してドットＬＥＤを点滅制御し、撮影日時、地名等のデータをフィルムに光学的に記録する。
【０１０６】
図８において、１４４はフィルム１２６上に記録された撮影画面、１４５はカメラ１０１が内蔵する時計で計測された撮影日時の記録領域、１４６ないし１４８は選択された地名の記録領域である。
【０１０７】
図９は、情報編集装置１５１における地名情報切り出し操作が行われる際の動作を示すフローチャートである。地名情報切り出し手順の詳細は、図４及び図５で説明したので、ここでは前述の図２ないし図５を参照しながら切り出し時の動作の概略を説明する。なお、ステップ番号は（１０１）から１番置きに付してある。
【０１０８】
ステップ（１０１）より動作を開始し、まずステップ（１０３）において、操作者によって図３の情報編集装置１５１の電源がオンされると、ステップ（１０５）において、表示部１５２に不図示の初期画面を表示する。そして、次のステップ（１０７）において、操作者により該初期画面にて地名切り出しプログラムが選択されるとステップ（１０９）へ進み、前記表示部１５２に図４に示す様な地名切り出し画面を表示する。
【０１０９】
次のステップ（１１１）においては、図４の階層入力部１８１あるいはプルダウン指標１８２による階層入力を受け付ける。また、次のステップ（１１３）においては、地名入力部１８３あるいはプルダウン指標１８４による地名入力を受け付ける。次のステップ（１１５）においては、上記ステップ（１１１）及びステップ（１１３）で入力された情報に基づいて、図３におけるＣＤ−ＲＯＭドライブ１５３を介してＣＤ−ＲＯＭ１６５から所定範囲の地名情報を切り出し、続くステップ（１１７）において、図４の１８５ないし１９４の表示領域に切り出しされた情報を表示する。ステップ（１１９）においては、切り出しされた地名情報の削除操作を受け付け、次のステップ（１２１）において、図４の削除ボタン１９６がクリックされたか否かを判定し、もし削除ボタン１９６がクリック操作されていたらステップ（１２３）へ進み、削除選択された階層の地名情報を削除し、ステップ（１１１）へ戻り、以下同様の動作を繰り返す。
【０１１０】
また、ステップ（１２１）にて削除ボタン１９６がクリックされていなければステップ（１２５）へ進み、ここでは図４の選択確定ボタン１９５がクリックされたか否かを判定する。この結果、選択確定ボタン１９５がクリック操作されていなければステップ（１１１）に戻り、ステップ（１１１）ないしステップ（１２３）を繰り返し実行して、地名切り出しの再入力や削除操作を受け付ける。その後、ステップ（１２５）にて選択確定ボタン１９５がクリック操作されたらステップ（１２７）へ進み、上記ステップで切り出し確定された地名情報をカメラ１０１に転送し、初期画面にリターンする。
【０１１１】
図１０は、カメラ１０１における地名選択操作が行われる際の動作を示すフローチャートである。地名選択手順の詳細は図６及び図７で説明したので、ここでは前述の図２，図３，図６及び図７を参照しながら地名選択時の動作の概略を説明する。なお、この図においても、ステップ番号は（１４１）から１番置きに付してある。
【０１１２】
ステップ（１４１）より動作を開始し、まず、ステップ（１４３）においては、操作者によって図３のカメラ１０１のメインスイッチ１０４がオン操作され、電源が投入されると、このステップ（１４５）において、表示器１１１に不図示の初期画面を表示する。そして、モード選択スイッチ１１３のオン操作で地名選択モードが設定されると、ステップ（１４７）を経由してステップ（１４９）へ進み、前記表示器１１１に図６に示すような地名選択画面を表示する。次のステップ（１５１）においては、図６のスクロールボタン１１２の左側あるいは右側操作部の押圧による階層変更を受け付ける。また、次のステップ（１５３）においては、スクロールボタン１１２の上側あるいは下側操作部の押圧による地名選択を受け付ける。
【０１１３】
次のステップ（１５５）においては、音声入力ボタン１１６とマイクロホン１１５による音声での地名選択を受け付ける。ここで、もし上記ステップでスクロールボタンによる地名選択がなされた後に音声入力が実行されたら、音声入力による地名選択を優先する。また、音声による入力がなされない時はこのステップ（１５５）は無視される。次のステップ（１５７）においては、図６の選択確定ボタン１１４がオン操作されたか否かを判定し、もし該ボタン１１４がオン操作されていない時はステップ（１５１）に戻り、ステップ（１５１）ないしステップ（１５５）を繰り返し実行して、選択された地名の変更操作を受け付ける。
【０１１４】
また、図６の選択確定ボタン１１４がオン操作された場合はステップ（１５９）へ進み、図６の地名表示部１４２に表示されている地名のフィルムへの書き込みを確定する。そして、次のステップ（１６１）において、モード選択ボタン１１３がオン操作されたか否かを判定する。この結果、該ボタン１１３がオン操作されていない時はステップ（１５１）に戻り、更に下位の階層の地名選択を実行する。また、ステップ（１６１）でモード選択ボタンがオン操作されたと判定したらステップ（１６３）でリターンし、地名選択プログラムを終了して初期画面に戻る。
【０１１５】
図１１は、カメラ１０１の撮影及び地名情報の記録時の動作を示すフローチャートであり、前述の図２及び図３を参照しながら説明する。なお、この図においても、ステップ番号は（１７１）から１番置きに付してある。
【０１１６】
ステップ（１７１）より動作を開始し、まずステップ（１７３）において、操作者によって図３のカメラ１０１電源がオンされると、ステップ（１７５）において、カメラ１０１内の各スイッチの状態検知を行い、設定されている撮影モード等の認識を実行する。次のステップ（１７７）においては、図２のレリーズボタン１０５が半押し操作されたか否か、すなわち図３のスイッチＳＷ１がオンされたか否かを判定し、該スイッチＳＷ１がオンしていなければこのステップ（１７７）に待機してオン操作されるのを待つ。
【０１１７】
その後、スイッチ１３１がオン操作されたらステップ（１７９）へ進み、ここでは被写体輝度の測光，焦点調節等の撮影準備動作を行い、絞り制御値，シャッタ制御値の演算を行う。そして、次のステップ（１８１）において、図２のレリーズボタン１０５が全押し操作されたか否か、すなわち図３のスイッチＳＷ２がオンされたか否かを判定する。該スイッチ１３２がオンしていなければ、ステップ（１７９）に戻って測光，焦点調節を繰り返し実行するが、該スイッチＳＷ２がオン操作されたらステップ（１８１）からステップ（１８３）へ進み、以降のレリーズ動作を実行する。
【０１１８】
ステップ（１８３）においては、図３のクイックリターンミラー１２３を撮影光束外に退避させると共に、不図示の絞り機構を駆動する。次のステップ（１８５）においては、上記ステップ（１７９）で演算したシャッタ秒時に基づいて図３のシャッタ機構を制御し、フィルムに被写体像を記録する。続くステップ（１８７）においては、図３のクイックリターンミラー１２３を撮影光束内の初期位置に復帰させると共に、不図示の絞り機構を開放に復帰駆動する。そして、ステップ（１８９）において、図３の巻き上げ装置１２８を駆動して、クイックリターンミラー１２３及びフォーカルプレンシャッタ１２５のメカニカルチャージと共に、フィルム１２６の1 駒分の巻き上げを行う。最後にステップ（１９１）において、上記ステップ（１８９）のフィルム巻き上げと同期して、データ写し込み装置１３４のドットＬＥＤを点滅制御し、フィルムの撮影画面内に日付、及び選択された地名を光学的に書き込む。そして、ステップ（１９３）でリターンして被写体像の撮影と情報の記録が完了する。
【０１１９】
以上で、情報編集装置１５１における地名データベースからの地名情報の切り出し、カメラ１０１における地名の選択、及び、該カメラ１０１における撮影と地名の記録動作が終了する。
【０１２０】
ここで、以上のフローを改めて以下に概説する。
【０１２１】
操作者によって、情報編集装置１５１の地名切り出しプログラムが起動され、ＣＤ−ＲＯＭ１６５等に内蔵された大容量の地名データベースから、切り出しする地名の階層と具体的な地名の選択が行われると、情報編集装置１５１は該操作で選択された地名に対して下位の階層の地名情報を自動的に切り出す。この際、切り出しした情報が膨大にならないように、切り出しする階層数を自動で設定する。そして、操作者によって切り出し操作が確定されると、切り出しした地名情報をカメラ内の記憶媒体へ転送される。
【０１２２】
続いて撮影者がカメラ１０１の表示器１１１とスクロールボール１１２を用いて転送記憶された地名の中から所望の地名を選択すると、カメラは撮影動作を実行する際に、その選択された地名情報をフィルムの画像領域に画像に重ねて記録する。
【０１２３】
以上の実施の第１の形態によれば、以下の効果を有している。
（１）複数階層から成るデータベースの中から所望の領域を切り出して記憶媒体に記憶できるため、少ない容量の記憶媒体しか有しない機器でも必要とされるデータを効率よく保存する事ができる。
（２）操作者は階層構造のデータベースの中から１つの情報を選択するだけで、複数階層に渡った情報群の切り出し領域を自動設定するため、簡単な操作で効率の良い情報編集が可能となる。
（３）操作者は記憶された階層構造のデータベースの中から複数階層の情報を独立して選択し、画像等に付加記録できるため、画像等の編集性や検索性が向上する。
【０１２４】
（実施の第２の形態）
前述した実施の第１の形態では、明確な階層構造を成す地名データベースの中から情報編集装置が地名情報を切り出してカメラに記憶させ、カメラ側で所望の地名が選択されると、選択された地名を画像上に光学的に記録する例を示していた。
【０１２５】
以下に示す実施の第２の形態は、上記実施の第１の形態に対して、地名データベースの階層構造が異なり、カメラが地名情報編集機能を有し、選択された地名をフィルムに塗布された磁気層に記録する点が異なる。
【０１２６】
図１２〜図２２は本発明の実施の第２の形態に係わる図であり、図１２は本発明の実施の第２の形態に用いられる地名データベースの構造、及び、該データベースから一部を切り出す時の切り出し範囲（領域）を示す図である。
【０１２７】
図１２において、日本全国の地名は、北から順に並べられて、それぞれの地名には対応コードが定義される。該コードは８桁の１０進数コードからなり、最上位２桁は都道府県名、次の３桁は市町村区名、最低位３桁は更に細部の行政区や観光地の固有名詞が割り当てられる。従って本発明は、このようなデータベースも階層構造を有する情報に含める。そして、該地名データベースは１枚のＣＤ−ＲＯＭに収納されている。領域Ｃないし領域Ｆは後述する方法で切り出された地名情報の範囲を示している。
【０１２８】
図１３は本発明の実施の第２の形態に係るカメラ及び周辺機器より成るカメラシステムの概略構成を示す斜視図である。
【０１２９】
図１３において、２０１は、地名データベースから所定範囲の地名情報を切り出す編集機能と、内蔵されたフィルムに被写体像と地名情報を記録する機能を有したカメラであり、以下の部材を有する。なお、この図及び図１４以降において、上記実施の第１の形態と同様の機能を有する部材は同一の番号で示してあり、詳しい説明は既に行っているので、ここでは変更部分のみ詳しく説明する。
【０１３０】
カメラ２０１は、撮影レンズ１０２，ファインダ接眼部１０３，電源スイッチに相当するメインスイッチ１０４，レリーズボタン１０５，通信コネクタ１０６を有する。また、該カメラ２０１の背面には、液晶パネル等の表示器１１１，スクロールボタン１１２，モード選択ボタン１１３，選択確定ボタン１１４，音声入力用マイクロホン１１５、及び、音声入力スイッチ１１６が設置される。
【０１３１】
２６５は、図１２に示した地名データベースと、該データベースの情報管理プログラムからなる地名辞書が記録されたＣＤ−ＲＯＭであり、該ＣＤ−ＲＯＭ２６５はＣＤ−ＲＯＭドライブ２５３に挿入される。そして、カメラ２０１からの指令に基づいて地名データベースが読み出され、読み出された地名情報がコネクタ２６３及びコネクタ１０６を介してカメラ２０１に転送される。
【０１３２】
図１４は、上記図１３のカメラ２０１及び周辺機器としてのＣＤ−ＲＯＭドライブ２５３から成るカメラシステムの電気的構成の要部を示すブロック図である。
【０１３３】
２２１はカメラ全体の動作を制御するＣＰＵであり、ＲＯＭ，ＲＡＭ，ＥＥＰＲＯＭ，Ａ／ＤやＤ／Ａ変換機能を有する１チップマイコンである。電源１２２，撮影レンズ１０２，クイックリターンミラー１２３，ペンタダハプリズム１２４，接眼レンズ１０３，フォーカルプレンシャッタ１２５は，上記実施の第１の形態と同様の機能を有する。さらに、レンズ駆動装置１２７，巻き上げ装置１２８、メモリ１３３、コネクタ１０６、表示器１１１も、上記実施の第１の形態と同様の機能を有する。更に、メインスイッチ１０４，撮影準備スイッチ（ＳＷ１）１３１，撮影スイッチ（ＳＷ２）１３２，スクロールボタン（詳しくは４個のスクロールスイッチ群）１１２，モード選択ボタン１１３，選択確定ボタン１１４，マイクロホン１１５，音声入力ボタン１１６等のスイッチやマイクロホンも，上記実施の第１の形態と同様の機能を有する。
【０１３４】
２２６はベース部材上に感光用乳剤と磁性媒体との混合物が塗布されたフィルムであり、被写体像が光学的に、地名等の付加情報が磁気的に記録される。２３４は磁気信号記録装置であり、不図示の磁気ヘッドがフィルムに当接し、上記塗布された磁性媒体に地名情報等を磁気的に記録する。
【０１３５】
２５３はＣＤ−ＲＯＭドライブ、２７２は前記ＣＤ−ＲＯＭ２６５を駆動し、情報を読み出す駆動部、２７１は上記駆動部を制御しかつコネクタ２６３を介してカメラ等の外部装置とのデータ授受を制御するコントローラである。
【０１３６】
図１５は、地名情報を切り出しするプログラムの実行画面について説明する為の図であり、この図では、カメラ２０１の背面に配置された表示器１１１と各種操作部材とを併せて示してある。
【０１３７】
地名辞書を有したＣＤ−ＲＯＭ２６５をＣＤ−ＲＯＭドライブ２５３に装着し、カメラのモード選択ボタン１１３を押圧操作して地名切り出しプログラムを実行すると、表示器１１１には図１５に示す画面が表示される。
【０１３８】
図１５に示す画面において、２４１は地名コード表示部、２４２は地名表示部、２４３は切り出しデータ量表示部、２４４は切り出し地名数表示部である。
【０１３９】
まず、撮影者はスクロールボタン１１２を押圧操作して、地名コード表示部２４１あるいは地名表示部２４２において、切り出ししたい地名のコードあるいは地名そのものを選択する。この場合、スクロールボタン１１２の左側あるいは右側操作部の押圧操作で階層変更を行う。例えば、左側操作部を押圧すると上位の階層、すなわち都道府県名のみの地名表示を行い、日本全国からの所定県の選択を容易にする。その後、スクロールボタン１１２の上側あるいは下側操作部の押圧操作で、切り出ししたい県名を選択する。
【０１４０】
更に詳細地名を絞り込みたい時は、スクロールボタン１１２の右側操作部を押圧操作して下位階層の地名を表示し、その後、スクロールボタン１１２の上側あるいは下側操作部の押圧操作で、切り出ししたい詳細地名を選択する。そして、切り出しする地名が決定したら、選択確定ボタン１１４を押圧操作し、切り出しする地名を確定する。
【０１４１】
地名が確定したら、続いて切り出しデータ容量の指定を行う。撮影者は切り出しデータ量表示部２４３あるいは切り出し地名数表示部２４４を見ながら、スクロールボタン１１２の上側あるいは下側操作部の押圧操作で切り出しするデータ容量を増減させる。この際、カメラ２０１が有するメモリ１３３の記憶容量よりも大きなデータ量が選択された時は警告表示を行う。そして、切り出しするデータ容量が決定したら、選択確定ボタン１１４を押圧操作し、切り出しする地名数を確定する。
【０１４２】
図１５は、以上の操作を行って「東京都足立区」を切り出し地名として、データ容量「１．５ＫＢ」すなわち切り出し地名数「２００」が選択された事を示す。そして、この操作で切り出しされた地名情報の範囲は、図１２の領域Ｃに対応する。
【０１４３】
ここで、図１２の地名一覧表において、地名は地図上の所定方向、すなわち北から順に並んでいるため、該表において隣接した地名は地図上でも隣接している。一方、撮影者が撮影場所を決めて撮影に出かける場合、当初予定していた初期地点を中心に比較的小さな距離の範囲で予定外の撮影を行う事はあっても、初期地点から数１００ｋｍも離れた地点で予定外の撮影を行う事は通常は有り得ない。従って本実施の形態では、撮影者が切り出し指定した地名に対して、その周辺地域の地名を所定の範囲内で自動的に切り出しする事により、切り出し操作を簡便にしながら、切り出しされる情報を最小限に過不足なく決定できるようになっている。
【０１４４】
図１６は、前述の図１５で説明したのと同様の操作を行い、「東京都中央区銀座」を中心としてデータ容量「０．５ＫＢ」、すなわち切り出し地名数「６０」を選択した時の表示器１１１の状態を表わす。そして、この操作で切り出しされた地名情報の範囲は、図１２の領域Ｆに対応する。この場合は、撮影者が当初の予定地から余り遠くへは行かないと判断し、切り出しするデータ容量を小さくして、メモリ１３３への記憶負荷を小さくしたものである。
【０１４５】
図１７は、上記図１５あるいは図１６に示した方法で切り出され、カメラ２０１のメモリ１３３に記憶された地名情報を、撮影時に選択する際の実行画面について説明する為の図である。この図では、図１６で切り出された「東京都中央区銀座」を中心とした地名数「６０」の地名情報が記憶されている場合について説明する。
【０１４６】
撮影者が撮影に先立って、モード選択ボタン１１３を押圧操作し、地名選択プログラムを実行すると、カメラ２０１の表示器１１１には、図１７に示す画面が表示される。この画面内容は、上記図１５あるいは図１６の地名切り出し画面とほぼ同一であり、地名コード表示部２５１，地名表示部２５２，切り出しデータ量表示部２５３，切り出し地名数表示部２５４を有する。そして、地名切り出し実行時と同様にスクロールボタン１１２の押圧操作により、画像に付加する地名を選択する。この時、カメラ２０１が有する地名情報は必要最小限の地名のみを有するため、地名選択の操作は簡単である。その後、選択確定ボタン１１４を押圧操作し、画像に付加する地名を確定する。この図では、地名「東京都中央区銀座」が画像に付加される。
【０１４７】
図１８は、以上の操作で選択された地名がフィルムに記録された結果を示す図であり、同図において、２４６はフィルム２２６上に記録された撮影画面、２４７は磁気信号記録領域であり、カメラ１０１が内蔵する時計で計測された撮影日時，選択された地名，カメラの撮影条件等が磁気信号として記録される。
【０１４８】
図１７で説明した操作で地名を選択して撮影を行うと、図１４の巻き上げ装置１２８はフィルム２２６を１駒分巻き上げる。この際、磁気信号記録装置２３４はフィルム給送に同期して磁気ヘッドを介して、撮影日時，地名等のデータをフィルムの磁気層（磁気信号記録領域２４７）に記録する。
【０１４９】
図１９は、上記カメラ２０１における地名情報切り出し操作が行われる際の動作を示すフローチャートである。地名情報切り出し手順の詳細は図１５及び図１６で説明したので、ここでは前述の図１３ないし図１６を参照しながら切り出し時の動作の概略を説明する。なお、この図においても、ステップ番号は（２０１）から１番置きに付してある。
【０１５０】
ステップ（２０１）より動作を開始し、まずステップ（２０３）において、撮影者によって図１４のカメラ２０１の電源がオンされると、次のステップ（２０５）において、表示器１１１に不図示の初期画面を表示する。そして、次のステップ（２０７）において、撮影者がモード選択ボタンを押圧操作して地名切り出しプログラムを選択すると、続くステップ（２０９）において、図１５に示すような地名切り出し前記表示器１１１に画面を表示する。
【０１５１】
次のステップ（２１１）において、スクロールボタン１１２によるコードあるいは地名の選択を受けつける。この選択結果は、図１５のコード表示部２４１及び地名表示部２４２に表示する。次のステップ（２１３）においては、上記ステップ（２１１）で選択した地名を確定したか否かを判別し、確定していなければステップ（２１１）の入力を引き続き許可する。その後、ステップ（２１３）で選択確定が確認されるとステップ（２１５）へ進む。
【０１５２】
ステップ（２１５）においては、スクロールボタン１１２による地名切り出し領域の容量あるいは地名数の選択を受けつける。この選択結果は、図１５の容量表示部２４３及び地名数表示部２４４に表示する。次のステップ（２１７）においては、上記ステップ（２１５）で選択した地名切り出し範囲を確定したか否かを判別し、確定していなければステップ（２１５）の入力を引き続き許可する。その後、ステップ（２１７）で選択確定が確認されるとステップ（２１９）へ進む。
【０１５３】
ステップ（２１９）においては、モード選択ボタン１１３の押圧操作による地名切り出し完了指示がなされたか否かの判別を行い、もし該ボタン１１３がオンされていなければ、このステップにとどまって、該ボタンのオン操作を待つ。そして、該モード選択ボタン１１３が押圧操作されたら、地名切り出し入力作業が確定したとみなしてステップ（２２１）へ進み、ここでは上記ステップ（２１１）で選択された地名と上記ステップ（２１５）で選択された容量から、ＣＤ−ＲＯＭ２６５より所定領域の地名情報を切り出し、メモリ１３３に記憶させる。その後、ステップ（２２３）で初期画面にリターンする。
【０１５４】
図２０は、撮影時におけるカメラ２０１での地名選択操作が行われる際の動作を示すフローチャートである。地名選択手順の詳細は図１７で説明したので、ここでは前述の図１３，図１４及び図１７を参照しながら地名選択時の動作の概略を説明する。なお、この図においても、ステップ番号は（２４１）から１番置きに付してある。
【０１５５】
ステップ（２４１）より動作を開始し、まずステップ（２４３）において、操作者によって図１４のカメラ２０１のメインスイッチ１０４がオン操作され、電源が投入されると、表示器１１１に不図示の初期画面を表示する。そして、モード選択スイッチ１１３のオン操作で地名選択モードが設定されると、ステップ（２４７）を経由してステップ（２４９）へ進む。
【０１５６】
ステップ（２４９）においては、図２０に示すような地名選択画面を表示する。そして、次のステップ（２５１）において、スクロールボタン１１２によるコードあるいは地名の選択を受けつける。この選択結果は、図１７のコード表示部２５１及び地名表示部２５２に表示する。続くステップ（２５３）においては、音声による地名選択を受け付ける。そして、次のステップ（２５５）において、上記ステップ（２５１）あるいはステップ（２５３）で選択した地名を確定したか否かを判別し、確定していなければステップ（２５１）あるいはステップ（２５３）の入力を引き続き許可する。その後、ステップ（２５５）で選択確定が確認されるとステップ（２５７）へ進む。
【０１５７】
ステップ（２５７）においては、上記ステップ（２５１）あるいはステップ（２５３）で選択された地名を画像に付加する事を確定する。その後ステップ（２５９）で初期画面にリターンする。
【０１５８】
図２１は、カメラ２０１の撮影及び地名情報の記録時の動作を示すフローチャートである。このフローは、上記実施の第１の形態の撮影時の動作フローに対して、１箇所のみが異なり、他のステップは同一なため、異なる部分のみ説明する。
【０１５９】
図１１のフローでは、ステップ（１９１）において、撮影後のフィルム給送中にデータ写し込み装置１３４のドットＬＥＤを点滅制御し、フィルムの撮影画面内に日付、及び選択された地名を光学的に書き込んでいた。これに対して、この実施の第２の形態では、ステップ（２９１）において、撮影後のフィルム給送中に磁気信号記録装置２３４を用いて、フィルム上の磁気層に日付及び選択された地名を磁気信号として書き込む。
【０１６０】
上記ステップ（２９１）以外のステップは、上記実施の第１の形態と同一の作用をなすため、説明は省略する。
【０１６１】
以上でカメラ２０１におけるＣＤ−ＲＯＭ２６５の地名データベースからの地名情報の切り出し、カメラにおける地名の選択、及びカメラにおける撮影と地名の記録動作が終了する。
【０１６２】
ここで、以上のフローを改めて以下に概説する。
【０１６３】
撮影者によって、カメラ２０１の地名切り出しプログラムが起動され、ＣＤ−ＲＯＭ２６５等に内蔵された大容量の地名データベースから切り出しする地名と切り出し容量が選択されると、カメラ２０１は該操作で選択された地名と容量に基づいて、地名データベース上における前記選択地名周辺の地名群を自動的に切り出す。そして、切り出しした地名情報をカメラ内の記憶媒体に記憶する。
【０１６４】
続いて撮影者がカメラの表示器１１１と入力手段であるスルロールボタン１１２を用いて記憶された地名の中から所望の地名を選択すると、撮影動作を実行する際に、カメラ２０１は、その選択された地名情報をフィルムの画像記録領域の外側に磁気的に記録する。
【０１６５】
以上の実施の第２の形態によれば、前述した実施の第１の形態の効果（（１）〜（３））の他に、以下の様な効果を有する。
（４）カメラ上でデータベースからの地名の切り出しと、撮影画像に記録する地名の選択の両方が行えるため、地名入力作業が旅行先でも手軽に実行可能である。
（５）地名情報をフィルムの撮影領域外に磁気的に記録するため、画像を犠牲にする事無く地名が付加でき、かつ撮影後に地名を選択してフィルム巻戻し時に記録したり、記録後の地名を修正する事が可能である。
【０１６６】
（実施の第３の形態）
上記実施の第１及び第２の形態では、文字情報あるいはこれに対応したコード情報で記録された地名データベースの一部を切り出し、カメラに記憶する例を示していた。
【０１６７】
以下に示す実施の第３の形態は、電子地図形式のデータベースから所定領域の情報を切り出しカメラに記憶する例を示す。また、カメラはフィルムの代わりに撮像素子を有した電子カメラであり、切り出しされた情報の記憶媒体はカメラに対して着脱可能なＩＣカードの例を示す。
【０１６８】
図２２は、本発明の実施の第３の形態に用いられる電子地図データベースの階層構造を示す図である。
【０１６９】
図２２において、日本全国の地図情報は、小縮尺（地表面上での所定距離が、地図上で小さく表現される縮尺）のレベル１から、大縮尺（地表面上での所定距離が、地図上で大きく表現される縮尺）のレベルｎまでの複数階層に分割され、それぞれの階層内では該当する縮尺に応じた密度で地形及び地名情報が登録されている。すなわち、小縮尺の地図に対して大縮尺の地図では、より細かい地形や詳細な地名情報が含まれる。よって、地図のレベル数が大きくなるに従って、該レベルの地図に含まれる情報量も増大する。図２２においては、レベル３からレベル５の地図が示してある。
【０１７０】
図２３は、本発明の実施の第３の形態のカメラ及び情報編集装置から成るカメラシステムの概略構成を示す斜視図である。
【０１７１】
図２３において、３０１は、内蔵された撮像素子で取得した画像信号と、外部装置から取得した地名情報とを記録する機能を有したカメラであり、以下の部材を有する。なお、この図及び図２４以降において、上記実施の第１の形態と同様の機能を有する部材は同一の番号で示してあり、詳しい説明は既に実施の第１の形態で行っているため、ここでは変更部分のみ詳しく説明する。
【０１７２】
カメラ３０１は、撮影レンズ１０２，電源スイッチに相当するメインスイッチ１０４，レリーズボタン１０５を有する。また、該カメラ３０１の背面には、スクロールボタン１１２，モード選択ボタン１１３，選択確定ボタン１１４，音声入力用マイクロホン１１５、及び、音声入力スイッチ１１６が設置される。
【０１７３】
３０６はＰＣカード挿入孔であり、後述するフラッシュメモリ等の不揮発メモリを内蔵したＰＣカードタイプの記憶手段が装着される。３０７はＧＰＳ（Global Positioning System ）受信機であり、撮影時にＧＰＳ衛星からの電波を受信し、地表面上でのカメラの３次元座標と時刻を認識するための装置である。３１１は液晶パネル等の表示器であり、カメラの撮影条件や地図，地名等の情報を表示すると共に、撮影される被写体像を表示する電子ビューファインダを兼ねている。
【０１７４】
３５１は地図情報を編集するための情報編集装置であり、ＣＲＴ等の表示部１５２，ＣＤ−ＲＯＭドライブ１５３，ＰＣカードドライブ１５４を内蔵している。１５５は電源スイッチである。また、キーボード１６１，マウス１６２，通信コネクタ１６３等の入出力用部材が接続される。３６５は、階層構造を有した電子地図データベースと、該データベースの情報管理プログラムからなる地図情報が記録されたＣＤ−ＲＯＭであり、該ＣＤ−ＲＯＭ３６５はＣＤ−ＲＯＭドライブ１５３に挿入されて電子地図データベースが情報編集装置３５１に読み込まれる。３６６はＰＣカードであり、フラッシュメモリ等の不揮発性ＩＣメモリ、あるいは小型のハードディスク装置が内蔵されたカード型記憶手段である。
【０１７５】
前記ＰＣカード３６６は、情報編集装置３５１のＰＣカードドライブ１５４に装着され、情報記憶部の所定領域にＣＤ−ＲＯＭ３６５の地図情報の一部が記憶される。その後、該ドライブ１５４から取り外されたＰＣカード３６６はカメラ３０１のＰＣカード挿入孔３０６に装着され、記憶された地図情報がカメラ３０１に読み込まれる。また、ＰＣカード３６６は撮影された画像信号の記憶手段としても用いられる。
【０１７６】
図２４は、上記図２３のカメラ３０１及び情報編集装置３５１から成るカメラシステムの電気的構成を示す図である。
【０１７７】
まず、カメラ３０１側の電気的構成について説明する。
【０１７８】
３２１はカメラ全体の動作を制御するＣＰＵであり、ＲＯＭ，ＲＡＭ，ＥＥＰＲＯＭ，Ａ／ＤやＤ／Ａ変換機能を有する１チップマイコンである。３２６はＣＣＤ等で構成された撮像素子であり、撮影レンズ１０２により形成された被写体像は撮像素子３２６の受光面上に結像される。３２８はインターフェイス回路であり、撮像素子３２６の電荷蓄積タイミングや蓄積電荷読み出しを制御し、光電変換された画像信号をＣＰＵ３２１に転送する。３１１は表示器であり、撮像素子３２６で取得した被写体画像、カメラに設定されている撮影条件、及び後述する地図や地名情報の表示を行う液晶表示パネルで構成されている。
【０１７９】
３０８はＰＣカードドライブであり、カメラ３０１の挿入孔３０６に挿入されたＰＣカード３６６を装着するコネクタ部を有し、ＰＣカード３６６に記憶されたデータの読み出しと、ＰＣカード３６６に対する新たなデータの書き込みを制御する。
【０１８０】
電源１２２，レンズ駆動装置１２７は、上記実施の第１の形態と同様の機能を有する。さらに、メインスイッチ１０４，撮影準備スイッチ（ＳＷ１）１３１，撮影スイッチ（ＳＷ２）１３２，スクロールボタン（詳しくは４個のスクロールスイッチ群）１１２，モード選択ボタン１１３，選択確定ボタン１１４，マイクロホン１１５，音声入力ボタン１１６等のスイッチやマイクロホンも、上記実施の第１の形態と同様の機能を有する。
【０１８１】
次に、情報編集装置３５１側の電気的構成について説明する。
【０１８２】
表示部１５２，ＣＤ−ＲＯＭドライブ１５３，ＰＣカードドライブ１５４，電源スイッチ１５５，ハードディスク１５６，データ入力用キーボード１６１，マウス１６２は，上記実施の第１の形態の各構成要素と同様の機能を有する。３６５は電子地図データベースを有したＣＤ−ＲＯＭであり、ＣＰＵ３７１は該電子地図を参照しながら地図編集プログラムを実行し、後述する電子地図の切り出しや、切り出しした情報のＰＣカードへの転送を行う。
【０１８３】
図２５は、地図情報を切り出しするプログラムの実行画面について説明する為の図である。
【０１８４】
電子地図を有したＣＤ−ＲＯＭ３６５を情報編集装置３５１のＣＤ−ＲＯＭドライブ１５３に装着し、地図切り出しプログラムを実行すると、図２５の画面が表示部１５２に表示される。
【０１８５】
図２５において、３８１は地図表示部であり、領域３８２には操作者が選択した階層の地図が表示される。この図では階層レベル３の地図が表示されている。領域３８３は、領域３８２の中央部における下位の階層、すなわち階層レベル４の地図の切り出し領域を示す。領域３８４は、領域３８２の中央部における更に下位の階層、すなわち階層レベル５の地図の切り出し領域を示す。３８５は領域３８２に表示する地図の範囲を上下方向に移動させるための上下スクロールバー、３８６は領域３８２に表示する地図の範囲を左右方向に移動させるための左右スクロールバーであり、操作者がマウス１６２を用いて両バー３８５及び３８６を画面上で操作する事により、地図表示範囲を上下左右の任意方向に変更できる。
【０１８６】
３９１は地図階層のレベル表示部、３９２はレベル選択部、３９３は切り出しされる地図のレベル表示部である。この実施の形態では、操作者によってレベル３が選択され、その結果として、１つ下の階層で４分の１の範囲の地図情報と２つ下の階層で１６分の１の範囲の地図情報までの、合わせて３階層の地図が自動的に切り出しされる事を示している。
【０１８７】
３９４は地図情報を切り出すか否かを選択する選択ボックスであり、操作者がマウス１６２を用いて該ボックス３９４にチェックマークをつけると、所定の地図情報が切り出しされる。３９５は地名情報を切り出すか否かを選択する選択ボックスであり、操作者がマウス１６２を用いて該ボックス３９５にチェックマークをつけると、所定領域の地図に含まれる地名情報が切り出しされる。ここで地図情報と地名情報が各々独立して切り出しできるようにしたのは、地図情報は付加価値が高いが記憶容量が大きくなり、地名情報は付加価値は低いが記憶容量が少なくて済むため、操作者が機器の記憶媒体の容量や、地図情報の用途に応じて選択できるようにしたためである。３９６は切り出しされる地図情報と地名情報のデータ量の合計容量を示す表示部である。３９７は上記操作で決定した範囲の情報の切り出しを実行するための確定ボタン、３９８は切り出し範囲を変更するためのキャンセルボタンである。
【０１８８】
次に、地図情報の切り出し操作手順について説明する。
【０１８９】
操作者がレベル選択部３９２において所望のレベル、すなわちレベル３を選択すると、前回切り出し操作をした地図領域をレベル３の縮尺で表示する。そこで操作者はスクロールバー３８５及び３８６を操作して、切り出ししたい地図領域の中心地点を表示領域３８２の中央に位置させる。続いて、選択ボックス３９４及び３９５にて地図情報及び地名情報各々の切り出し可否を選択する。
【０１９０】
以上の操作が行われた結果、領域３８２内のレベル３の地図情報と該地図情報に含まれる地名情報、領域３８３内のレベル４の地図情報と該地図情報に含まれる地名情報、及び３８４内のレベル５の地図情報と該地図情報に含まれる地名情報の切り出しが選択された事になる。そして、切り出しされる情報の総容量が３ＭＢになる事を示している。そこで、操作者はこの条件で切り出しを行っても良いと判断したら、マウス１６２で確定ボタン３９７をクリックする。すると、ＣＤ−ＲＯＭ３６５から上記範囲の情報が切り出しされ、その情報がＰＣカード３６６に記憶される。
【０１９１】
一方、切り出しされる地図範囲を再設定したい場合は、キャンセルボタン３９８をクリックして初期画面に戻り、一部の条件を変更したい時は、該当箇所を選択して条件変更を行う。例えば、レベル５の情報が不要な場合は表示部３９３のレベル５部分をクリックすると、レベル５のオン表示（黒丸）が消滅し、レベル３及びレベル４の情報のみが切り出しされる。
【０１９２】
図２６は、地図切り出しプログラムにおいて、切り出しレベルをレベル５とした場合の表示部１５２の表示状態を示した図である。
【０１９３】
操作者がレベル選択部３９２において、レベル５を選択する。そして、切り出しする地図の中心地点をスクロールバー３８５，３８６を用いて地図表示部３８１の中央に位置調節する。すると、地図切り出しプログラムは該中心地点を基準として、レベル５ないしレベル７の地図の切り出し条件を設定する。ここで操作者は容量表示部３９６を視認し、容量が大きすぎると判断したら、切り出し範囲表示部３９３のレベル７を消去する。また、地図情報が不要で地名情報のみが必要と判断したら、地図の選択ボックス３９４のチェックマークを消去する。
【０１９４】
以上の操作にて切り出しされる情報量は０．５ＭＢとかなり少ない容量に収まっているため、操作者は確定ボタン３９７をクリック操作して地名情報の切り出しを実行する。
【０１９５】
以上の様にこの実施の第３の形態では、切り出しする地図の中心地点と地図の縮尺レベルを操作者が指定すると、該中心地点を基準地点として、広い範囲の粗い地図情報あるいは地名情報と、狭い範囲の詳細な地図情報あるいは地名情報の切り出し領域を自動で決定するため、無駄な情報を取り込む事無く、利用価値の高い情報が簡単な操作で切り出しする事が可能である。更に、自動的に決定された切り出し範囲を操作者が変更できるため、更に効率的な情報切り出しが可能である。
【０１９６】
図２７は、上記図２５に示した方法で切り出しされ、ＰＣカード３６６に転送記憶された地図情報と、ＧＰＳ受信機３０７で得た測位情報を併せて使用し、画像に撮影位置情報を付加する場合の、カメラ３０１における表示器３１１の実行画面について説明する為の図である。この図では、上記図２５で切り出された「東京都中央区銀座」周辺のレベル３ないしレベル５の地図情報を有したＰＣカード３６６が装着された場合について説明する。
【０１９７】
撮影者が撮影に先立って、モード選択ボタン１１３を押圧操作し、測位撮影プログラムを実行すると、カメラ３０１の表示器３１１には、図２７に示す画面が表示される。
【０１９８】
図２７において、３４１は地図表示部であり、初期状態ではＰＣカード３６６に記憶された地図情報のうち、最上位のレベル、すなわち小縮尺であるレベル３の地図が表示される。そして、表示されている地図のレベルが表示部３４２に表示される。
【０１９９】
続いて、ＧＰＳ受信機が測位を開始し、測位地点を地図上のアイコン３４３にて表示する。この時に表示される地図の階層は、表示可能な最下層、すなわち最も詳細なレベル５の地図が表示される。但し、測位地点が該レベル５の地図範囲になければ、上位レベルの地図が表示され、該地図上に測位地点アイコンを配置する。そして測位結果の緯度経度情報を表示部３４６及び３４７に表示し、該地点に対応する地名を地名表示部３４８に表示する。
【０２００】
そして、撮影者が測位結果を正しいと判断したら、選択確定ボタン１１４を押圧操作する。すると該測位結果がラッチされる。その後、撮影者がカメラのレリーズボタン１０５を押圧操作して撮影を行うと、上記ラッチ情報が撮影画像と共にＰＣカード３６６に記憶される。
【０２０１】
図２８は、上述の操作で撮影され、ＰＣカード３６６に記憶さた画像ファイルの構造を示す図である。
【０２０２】
１駒の画像に対応する画像ファイルは、撮影情報を表わすヘッダー部、画像のカラー情報を含めた輝度信号を表わす画像信号部、及び撮影時に録音された音声信号部とから成る。
【０２０３】
ヘッダー部の撮影年月日及び時刻は、カメラが内蔵する時計機能の情報が記録される。緯度経度はＧＰＳ受信機で測位した結果が記録され、地名は該測位結果と電子地図情報を基に認識した地名が記録される。タイトルは撮影前にカメラにおいて、あるいは撮影後にパーソナルコンピュータ等の画像処理装置において撮影者により入力される。
【０２０４】
画像信号は、撮像素子３２６で取得した被写体像の信号に、所定のγ補正，カラー信号処理，圧縮処理等を施したデータである。音声信号は、撮影時にマイクロフォン１１５で録音された被写界の音、あるいは撮影者が発生した音声をＡ／Ｄ変換した情報である。
【０２０５】
図２９は、上記図２６に示した方法で切り出されＰＣカード３６６に転送記憶された地名情報を画像に付加する場合の、カメラ３０１における表示器３１１の実行画面について説明する為の図である。この図では、上記図２６で切り出された「東京都中央区銀座」周辺の地名情報のみを有したＰＣカード３６６が装着された場合について説明する。
【０２０６】
撮影者が撮影に先立って、モード選択ボタン１１３を押圧操作し、地名入力撮影プログラムを実行すると、カメラ３０１の表示器３１１には、図２９に示す画面が表示される。
【０２０７】
図２９において、３５１は地名一覧表示部であり、初期状態ではＰＣカード３６６に記憶された地名情報のうち、最上位のレベル、すなわち小縮尺であるレベル５の地図に含まれていた地名一覧が表示される。そして、表示されている地名のレベルが表示部３５２に表示される。３５３は選択地名表示部であり、地名一覧表示部３５１のうち、画像に付加される地名が黒字に白抜き文字で表示される。そこで、撮影者はスクロールボタン１１２を押圧操作し、地名の階層レベルを変更したり、選択された階層内での所望の地名を選択する。この地名選択方法は上記実施の第１の形態と同様の操作でなされる。
【０２０８】
そして、撮影者が所望の地名選択を完了したら、選択確定ボタン１１４を押圧操作する。すると、選択された地名がラッチされる。その後、撮影者がカメラのレリーズボタン１０５を押圧操作して撮影を行うと、上記ラッチ情報が撮影画像と共にＰＣカード３６６に記憶される。
【０２０９】
図３０は、上述の操作で撮影され、ＰＣカード３６６に記録さた画像ファイルの構造を示す図である。上記図２８の場合とは異なり、測位による緯度経度情報は得られないので、この部分には無効データが記録される。地名は撮影者によって地名情報群から選択された地名が記録される。
【０２１０】
図３１は、情報編集装置３５１における地図情報切り出し操作が行われる際の動作を示すフローチャートである。地図情報切り出し手順の詳細は、図２５及び図２６で既に説明したので、ここでは前述の図２３ないし図２６を参照しながら切り出し時の動作の概略を説明する。なお、この図においても、ステップ番号は（３０１）から１番置きに付している。
【０２１１】
ステップ（３０１）より動作を開始し、まずステップ（３０３）において、操作者によって図２４の情報編集装置１５１の電源がオンされると、ステップ（３０５）において、表示部１５２に不図示の初期画面を表示する。そして、ステップ（３０７）において、操作者が該初期画面にて地図切り出しプログラムを選択すると、次のステップ（３０９）において、前記表示部１５２に図２５に示すような地図切り出し画面を表示する。
【０２１２】
次のステップ（３１１）においては、図２５のレベル入力部３９２による地図の階層レベル入力を受け付け、次のステップ（３１３）において、スクロールバー３８５及び３８６による切り出し地点中心位置の移動を受け付ける。続くステップ（３１５）においては、レベル表示部３９３における不要レベルの削除を受け付け、次のステップ（３１７）においては、地図情報を切り出しするか否かの選択を、選択ボックス３９４にて受け付ける。そして、次のステップ（３１９）において、地名情報を切り出しするか否かの選択を、選択ボックス３９５にて受け付ける。
【０２１３】
次のステップ（３２１）においては、キャンセルボタン３９８がクリックされたか否かを判定し、該ボタン３９８がクリック操作されていたら、ステップ（３０５）へ戻り、初期画面を表示する。一方、ステップ（３２１）で削除ボタン３９８がクリックされていなければ、ステップ（３２３）へ進み、ここでは確定ボタン３９７がクリックされたか否かを判定する。もし該確定ボタン３９７がクリック操作されていなければ、ステップ（３１１）に戻り、ステップ（３１１）ないしステップ（３１９）を繰り返し実行して、地図切り出し条件の再入力や削除操作を受け付ける。
【０２１４】
また、上記ステップ（３２３）にて確定ボタン３９７がクリック操作されたことを判定した場合はステップ（３２５）に進み、上記ステップで切り出し確定された地図情報あるいは地名情報をＰＣカード３６６に転送記憶させ、ステップ（３２７）で初期画面にリターンする。
【０２１５】
図３２は、カメラ３０１における測位あるいは地名選択操作が行われる際の動作を示すフローチャートである。この操作手順の詳細は既に図２７及び図２９で説明したので、ここでは前述の図２３，図２４，２５及び図２７を参照しながら測位及び地名選択時の動作の概略を説明する。なお、この図においても、ステップ番号は（３３１）から１番置きに付している。
【０２１６】
ステップ（３３１）より動作を開始し、まずステップ（３３３）において、操作者によって図２４のカメラ３０１のメインスイッチ１０４がオン操作され、電源が投入されると、ステップ（３３５）において、表示器３１１に不図示の初期画面を表示する。次のステップ（３３７）においては、モード選択ボタン１１３による地名選択モードの入力を受け付ける。そして、次のステップ（３３９）において、測位撮影モードが選択されているか否かの判別を行い、測位撮影モードが選択されている場合にはステップ（３４１）へ進む。
【０２１７】
ステップ（３４１）においては、ＧＰＳ受信機を起動し、ＧＰＳ衛星からの電波を受信する。そして、次のステップ（３４３）において、前ステップで受信した電波を基に、測位演算を行う。続くステップ（３４５）においては、前ステップによる測位結果をＰＣカード３６６に格納されている地図情報と参照し、測位地点の地名を認識する。そしてステップ（３５７）へ進む。
【０２１８】
一方、ステップ（３４９）にて測位撮影モードが選択されていないと判定した場合はらステップ（３５１）へ進み、ここでは地名入力撮影モードが選択されているか否かを判定する。そして、地名入力撮影モードが選択されている場合にはステップ（３５３）へ進む。
【０２１９】
ステップ（３５３）においては、上記図２９に示した地名入力撮影画面を表示し、次のステップ（３５５）においては、スクロールボタン１１２の押圧操作による、階層表示部３５２における地名の階層レベルの入力を受けつける。そして、次のステップ（３５７）において、スクロールボタン１１２の押圧操作による、地名表示部３５３における地名の選択を受けつける。続くステップ（３５９）においては、スクロールボタンの代わりに音声による地名選択を受けつける。そしてステップ（３４７）へ進む。
【０２２０】
上記ステップ（３４５）あるいは上記ステップ（３５９）を実行後は何れもステップ（３４７）へ進み、ここではカメラ３０１の選択確定ボタン１１４が押圧操作されたか否かを判定する。この結果、該ボタン１１４がオンされていなければステップ（３４１）ないしステップ（３４５）の測位フロー、あるいはステップ（３５１）ないしステップ（３５９）の地名入力フローを繰り返し実行する。
【０２２１】
また、ステップ（３４７）にて選択確定ボタン１１４が押圧操作されたと判定した場合はステップ（３６１）へ進み、選択された地名をラッチ（確定）する。そして、この時に確定された地名情報を、後述する撮影時に画像と共に記録する。次のステップ（３６３）においては、モード選択ボタン１１３による初期画面への復帰操作がなされたか否かを判定し、該ボタンがオン操作されていなければこのステップにとどまり、オン操作されたらステップ（３６５）で初期画面にリターンする。
【０２２２】
図３３は、カメラ３０１の撮影及び地名情報の記録時の動作を示すフローチャートであり、前述の図２３及び図２４を参照しながら説明する。なお、この図においても、ステップ番号は（３７１）から１番置きに付している。
【０２２３】
ステップ（３７１）より動作を開始し、まずステップ（３７３）において、操作者によって図２４のカメラ３０１の電源がオンされると、次のステップ（３７５）において、カメラ３０１内の各スイッチの状態検知を行い、設定されている撮影モード等の認識を実行する。続くステップ（３７７）においては、図２３のレリーズボタン１０５が半押し操作されたか否か、すなわち図２４のスイッチＳＷ１がオンされたか否かを判定する。もし該スイッチＳＷ１がオンしていなければ、このステップ（３７７）に待機してオン操作されるのを待つ。また、スイッチＳＷ１がオン操作されたらステップ（３７９）へ進む。
【０２２４】
ステップ（３７９）においては、被写体輝度の測光，焦点調節等の撮影準備動作を行い、絞り制御値、シャッタ制御値の演算を行い、次のステップ（３８１）において、撮像素子３２６によるモニタ用画像の撮像を行う。そして、次のステップ（３８３）において、撮像したモニタ用画像を表示器３１１に表示し、撮影者がフレーミング確認を可能にする。続くステップ（３８５）においては、図２３のレリーズボタン１０５が全押し操作されたか否か、すなわち図２４のスイッチＳＷ２がオンされたか否かを判定し、もし該スイッチ１３２がオンしていなければ、ステップ（３７９）に戻って、測光，焦点調節，モニタ画像表示を繰り返し実行する。また、スイッチＳＷ２がオン操作されたらステップ（３８５）からステップ（３８７）へ進み、以降のレリーズ動作を実行する。
【０２２５】
ステップ（３８７）においては、撮像素子３２６による撮像を行い、次のステップ（３８９）において、マイクロフォン１１５による録音を行う。そして、次のステップ（３９１）において、撮像した画像のカラー信号処理，圧縮処理等を行い、次のステップ（３９３）において、撮像した画像を表示器３１１に表示し、所望の画像が撮影された事を撮影者に確認可能とする。続くステップ（３９５）においては、上記ステップ（３８７）及び上記ステップ（３８９）で取得した画像信号と音声信号に、図３２のフローで取得した測位情報や地名情報を付加して、ＰＣカード３６６に記録する。そして、ステップ（３９７）でリターンして被写体像の撮影と情報の記録が完了する。
【０２２６】
以上で、情報編集装置３５１における地図データベースからの地図情報及び地名情報の切り出し、カメラ３０１における地名の選択、及び該カメラ３０１における撮影と地名の記録動作が終了する。
【０２２７】
ここで、以上のフローを改めて以下に概説する。
【０２２８】
操作者によって、情報編集装置３５１の地図切り出しプログラムが起動され、ＣＤ−ＲＯＭ３６５等に内蔵された大容量の地図データベースから、切り出しする地図の階層レベルと切り出しする地域が選択されると、情報編集装置３５１は該操作で選択されたレベルと地域に対応した地図と共に、前記選択レベルよりも下位レベルの地図情報も自動的に切り出す。この際、切り出された情報が膨大にならないように、下位レベルの地図の切り出し範囲を上位レベルの地図の切り出し範囲よりも狭くする。そして操作者によって切り出し操作が確定されると、切り出しした地名情報をＰＣカード等の着脱可能な記憶媒体に記憶する。
【０２２９】
続いて、撮影者が前記ＰＣカード３６６をカメラ３０１に装着し、ＰＣカード内に記憶されている情報内から所望の地名を選択することになる。この際、カメラ３０１がＧＰＳ受信機等による測位機能を有する場合には、測位結果から自動で地名選択する。また、測位機能を有さない、あるいは測位機能を有していても測位不能の状況下では、撮影者が操作部材あるいは音声入力部材で地名を選択することになる。そして、カメラ３０１は撮影動作を実行する際に、その選択された地名情報を画像信号や音声信号に付加して記録する。
【０２３０】
以上の実施の第３の形態によれば、前述の実施の第１及び第２の形態の効果（（１）〜（５））の他に、以下の効果を有する。
（６）複数階層から成る地図データベースの中から選択された所定縮尺で所定領域地図情報の他に、異なる階層の地図情報も自動的に切り出して記憶媒体に記憶できるため、少ない容量の記憶媒体しか有しない機器でも、必要とされるデータを効率よく保存する事ができる。
（７）情報密度の粗い上位階層のデータは広い範囲で、情報密度の濃い下位階層のデータは狭い範囲で切り出しするため、人間の行動特性に適した効果的な情報編集が可能になり、少ない容量の記憶媒体しか有しない機器でも、必要とされるデータを効率よく保存する事ができる。
（８）図形情報から成る情報量の大きな地図情報と、テキスト情報あるいはコード情報から成る情報量の小さな地名情報とを独立して切り出し編集可能としたため、使用目的あるいは記憶媒体の容量に応じた情報編集が可能となる。
（９）切り出しした情報をカメラに着脱可能な記憶媒体に記憶させるため、記憶媒体の容量に応じた情報編集が可能となる。
（１０）測位機能付きカメラと併用する事により、地名設定がより簡便になる。
【０２３１】
（変形例）
上記実施の第１〜第３の形態では、撮影者がデータベースにおいて所定の階層を選択すると、自動的に、より下位の階層情報を切り出す実施の形態であったが、撮影者の選択階層に対して上位の階層情報を切り出すようにしても構わない。この場合にも、１回の選択操作で複数階層の情報が自動で切り出される、という効果を有するものである。
【０２３２】
また、上記実施の第３の形態では、上位階層と下位階層のデータの切り出し領域を変えていたが、切り出し領域を同一に決定しても構わない。この場合は切り出しされるデータ量が大きくなるため、切り出しされる階層数や切り出し領域を所定の値に制限する事で、データ量がむやみに増大してしまう事を防止ができる。
【０２３３】
また、上記実施の第１〜第３の形態では、本発明を実現するシステム機器の形態として、情報編集装置とカメラが分離した例と、両者が一体の例を記載した。また、編集する情報の形態として、地名情報と地図情報の例を記載した。また、カメラの形態として、銀塩フィルムを用いるカメラの例と、撮像素子を用いる電子カメラ、あるいは測位機能を有するものと有さない物の例を記載した。しかしこれらの実施の形態は上述の実施の第１ないし第３の形態の組み合わせに限定されるものではなく、上記３つの実施の形態以外の組み合わせにおいても有効な事は云うまでもない。
【０２３４】
また、本実施の形態における情報編集装置はスチルカメラに適用する例を示したが、ムービーカメラ，カーナビゲーション装置，携帯型ナビゲーション装置に適用しても同様の効果を発揮する。
【０２３５】
【発明の効果】
以上説明したように、本発明によれば、簡単な操作で効率的な階層構造のデータ切り出しができるため、切り出しされたデータを収納する機器のメモリ容量が小さくて済み、機器が小型軽量安価にできるほか、切り出しされたデータの検索性も向上する情報編集装置を提供できるものである。
【図面の簡単な説明】
【図１】本発明の実施の第１の形態に用いられる地名データベースの階層構造を説明する為の図である。
【図２】本発明の実施の第１の形態に係るカメラ及び情報編集装置の構成を示す斜視図である。
【図３】本発明の実施の第１の形態に係るカメラ及び情報編集装置の電気的構成を示すブロック図である。
【図４】本発明の実施の第１の形態に係る情報編集装置における地名切り出し時の実行画面を説明する為の図である。
【図５】本発明の実施の第１の形態に係る情報編集装置における地名切り出し時の、異なる切り出し条件での実行画面を説明する為の図である。
【図６】本発明の実施の第１の形態に係るカメラにおける地名選択時の実行画面を説明する為の図である。
【図７】本発明の実施の第１の形態に係るカメラにおける地名選択時の、異なる選択条件での実行画面を説明する為の図である。
【図８】本発明の実施の第１の形態に係るカメラで撮影された撮影画面について説明する為の図である。
【図９】本発明の実施の第１の形態の情報編集装置における地名切り出し時の動作を示すフローチャートである。
【図１０】本発明の実施の第１の形態のカメラにおける地名選択時の動作を示すフローチャートである。
【図１１】本発明の実施の第１の形態のカメラの撮影時の動作を示すフローチャートである。
【図１２】本発明の実施の第２の形態に用いられる地名データベースの階層構造について説明為の図である。
【図１３】本発明の実施の第２の形態に係るカメラシステムの概略構成を示す斜視図である。
【図１４】本発明の実施の第２の形態に係るカメラシステムの電気的構成を示すブロック図である。
【図１５】本発明の実施の第２の形態に係るカメラシステムにおける地名切り出し時の実行画面について説明する為の図である。
【図１６】本発明の実施の第２の形態に係るカメラシステムにおける地名切り出し時の、異なる切り出し条件での実行画面を説明する為の図である。
【図１７】本発明の実施の第２の形態に係るカメラにおける地名選択時の実行画面について説明する為の図である。
【図１８】本発明の実施の第２の形態に係るカメラで撮影された撮影画面について説明する為の図である。
【図１９】本発明の実施の第２の形態に係るカメラシステムにおける地名切り出し時の動作を示すフローチャートである。
【図２０】本発明の実施の第２の形態に係るカメラにおける地名選択時の動作を示すフローチャートである。
【図２１】本発明の実施の第２の形態に係るカメラの撮影時の動作を示すフローチャートである。
【図２２】本発明の実施の第３の形態に用いられる地図データベースの階層構造について説明する為の図である。
【図２３】本発明の実施の第３の形態のカメラ及び情報編集装置の概略構成を示す斜視図である。
【図２４】本発明の実施の第３の形態のカメラ及び情報編集装置の電気的構成を示すブロック図である。
【図２５】本発明の実施の第３の形態の情報編集装置における地図切り出し時の実行画面について説明する為の図である。
【図２６】本発明の実施の第３の形態の情報編集装置における地図切り出し時の、異なる切り出し条件での実行画面について説明する為の図である。
【図２７】本発明の実施の第３の形態のカメラにおける地図選択時の実行画面について説明する為の図である。
【図２８】本発明の実施の第３の形態のカメラで撮影された電子画像のファイル構造について説明する為の図である。
【図２９】本発明の実施の第３の形態のカメラにおける地名選択時の実行画面について説明する為の図である。
【図３０】本発明の実施の第３の形態のカメラで撮影された電子画像のファイル構造について説明する為の図である。
【図３１】本発明の実施の第３の形態の情報編集装置における地図切り出し時の動作を示すフローチャートである。
【図３２】本発明の実施の第３の形態のカメラにおける地図及び地名選択時の動作を示すフローチャートである。
【図３３】本発明の実施の第３の形態のカメラの撮影時の動作を示すフローチャートである。
【符号の説明】
１０１，２０１，３０１    カメラ
１０６，１６３，２６３    コネクタ
１１１，３１１            表示器
１１２                    スクロールボタン
１１３                    モード選択ボタン
１１４                    選択確定ボタン
１２１，２２１，３２１    ＣＰＵ
１２６，２２６            フィルム
１３３                    メモリ
１３４                    データ写し込み装置
１５１，３５１            情報編集装置
１５２                    表示部
１５３，２５３            ＣＤ−ＲＯＭドライブ
１５４，３０８            ＰＣカードドライブ
１６５，２６５，３６５    ＣＤ−ＲＯＭ
２３４                    磁気信号記録装置
３０７                    ＧＰＳ受信機
３２６                    撮像素子
３６６                    ＰＣカード
【図１】
0004154026.tif 000002
【図２】
0004154026.tif 000003
【図３】
0004154026.tif 000004
【図４】
0004154026.tif 000005
【図５】
0004154026.tif 000006
【図６】
0004154026.tif 000007
【図７】
0004154026.tif 000008
【図８】
0004154026.tif 000009
【図９】
0004154026.tif 000010
【図１０】
0004154026.tif 000011
【図１１】
0004154026.tif 000012
【図１２】
0004154026.tif 000013
【図１３】
0004154026.tif 000014
【図１４】
0004154026.tif 000015
【図１５】
0004154026.tif 000016
【図１６】
0004154026.tif 000017
【図１７】
0004154026.tif 000018
【図１８】
0004154026.tif 000019
【図１９】
0004154026.tif 000020
【図２０】
0004154026.tif 000021
【図２１】
0004154026.tif 000022
【図２２】
0004154026.tif 000023
【図２３】
0004154026.tif 000024
【図２４】
0004154026.tif 000025
【図２５】
0004154026.tif 000026
【図２６】
0004154026.tif 000027
【図２７】
0004154026.tif 000028
【図２８】
0004154026.tif 000029
【図２９】
0004154026.tif 000030
【図３０】
0004154026.tif 000031
【図３１】
0004154026.tif 000032
【図３２】
0004154026.tif 000033
【図３３】
0004154026.tif 000034